(57)【特許請求の範囲】
【請求項１】
側面に開口部が形成され、洗濯面となる内面に複数の凹凸が形成されている筒状体からなる洗濯板と、該洗濯板の洗濯面の内径よりも小さい外径を有する洗い棒とからなる洗濯用道具であって、洗濯板の側面の開口部が筒状体の長手方向に直線状に伸びて形成され、洗濯面の横断面形状が略半円状をなし、洗い棒の本体部が弾性樹脂からなり、該本体部の表面が、洗濯液がしみ込まないように疎水性となっている洗濯用道具。
【請求項２】
洗い棒の本体部が、表面に疎水性のスキン層を有する請求項１記載の洗濯用道具。
【請求項３】
洗い棒の本体部が、発泡ポリエチレンからなる請求項２記載の洗濯用道具。
【請求項４】
洗濯面の凹凸が、洗濯面に連設された略矩形の凹部からなる請求項１〜３のいずれかに記載の洗濯用道具。
【請求項５】
洗濯板の内径に対する洗い棒の外径の割合が６０〜８０％である請求項１〜４のいずれかに記載の洗濯用道具。
【請求項６】
洗い棒の表面に凹凸が形成されている請求項１〜５のいずれかに記載の洗濯用道具。
【請求項７】
洗濯板の一方の端面に平板状部材を有し、該平板状部材を底板として洗濯板が自立する請求項１〜６のいずれかに記載の洗濯用道具。
【請求項８】
平板状部材の洗濯面に凹凸が形成されている請求項７記載の洗濯用道具。
【請求項９】
平板状部材に通液孔が形成されている請求項７又は８記載の洗濯用道具。
【請求項１０】
平板状部材の洗濯面と洗濯板の洗濯面とが曲面で連続している請求項７〜９のいずれかに記載の洗濯用道具。
【請求項１１】
洗濯板の洗濯面の一方の端部が曲面で閉じている請求項１〜６のいずれかに記載の洗濯用道具。
【発明の詳細な説明】
【０００１】
【発明の属する技術分野】
本発明は、靴下等に付着した泥等のがんこな汚れを洗濯するために使用する洗濯用道具に関する。
【０００２】
【従来の技術】
靴下のつま先やかかと等に付着した泥などの汚れは、洗濯機による機械洗濯ではほとんど落とすことができない。これは、汚れが靴下の繊維内に刺さった状態になってるためであり、また、油汚れなどのように洗濯洗剤で溶かし出すこともできないからである。そのため、このような靴下のがんこな汚れに対しては、単に洗濯洗剤を使用するだけでなく、汚れた部位を強く擦ったり、たたいたりする手洗いがなされている。
【０００３】
従来、手洗いのための一般的な洗濯用具として、表面に複数の溝が形成されている平板状の洗濯板が知られている。また、靴下のがんこな汚れを落とすための洗濯用具として、図８に示したように、スポンジ２を巻き付けた洗い棒３と、内面４ａに波状の凹凸５が形成されている洗い筒４からなる靴下あらい器１が提案されている（実開昭６０−１９２７８８号公報）。
【０００４】
【発明が解決しようとする課題】
しかしながら、靴下の手洗いに従来の一般的な平板状の洗濯板を使用すると洗濯液が周囲に飛び散るという問題がある。また、洗濯液が洗濯板から容易に流れ落ちてしまい、靴下の汚れを落とそうとする当該洗濯部位に適量の洗濯液を保持しておくことが困難である。
【０００５】
一方、前述の図８の洗い棒３と洗い筒４からなる靴下あらい器１を使用すると、従来の平板状の洗濯板を使用する場合に対して洗濯液に直接手をさらすことなく洗濯できるので手あれをおこしにくい。また、軽い力で洗濯できるので洗濯作業を軽減できる。しかし、以下のような種々の問題がある。
【０００６】
１）靴下を洗濯するときの洗い棒３の動きが洗い筒４内での上下動か回転運動のみに限られる。そのため、靴下の洗濯時に、洗い筒４の底部に位置する靴下の部分は念入りに洗うことができるかもしれないが、靴下の任意の部分について、汚れのひどい部分を念入りに洗うことができない。
【０００７】
２）汚れた部分を見ながら洗濯することができず、したがって、汚れ落ちの程度を確認しながら洗濯することができない。
【０００８】
３）許容できる靴下の厚みの幅が狭い。そのため、薄手の靴下用に洗い棒３の外径と洗い筒４の内径を設定すると、厚手の靴下を洗濯することが困難となる。
【０００９】
４）洗濯液を流しながら洗濯することができない。そのため、洗い筒４内には、特に汚れた洗濯液が溜まることとなり、洗濯する靴下に汚れが再付着する場合がある。
【００１０】
５）平板状の洗濯板に比して、洗い筒４それ自体の洗浄が容易でなく、乾燥も遅く、洗い筒４を清浄に保持しておくことが難しい。
【００１１】
このように、平板状の洗濯板にも、洗い棒と洗い筒からなる靴下あらい器にもそれぞれ問題があり、がんこな汚れの付着した靴下の洗濯は労力のかかる煩雑な作業となっていた。
【００１２】
本発明は以上のような従来技術の課題を解決しようとするものであり、靴下をはじめとする種々の衣料についたがんこな汚れを効率よく洗濯することのできる新たな洗濯用具を提供することを目的とする。
【００１３】
【課題を解決するための手段】
本発明者は、上記の目的を達成するため、側面に開口部が形成され、洗濯面となる内面に複数の凹凸が形成されている筒状体からなる洗濯板と、該洗濯板の洗濯面の内径よりも小さい外径を有する洗い棒とからなる洗濯用道具であって、洗濯板の側面の開口部が筒状体の長手方向に直線状に伸びて形成され、洗濯面の横断面形状が略半円状をなし、洗い棒の本体部が弾性樹脂からなり、該本体部の表面が、洗濯液がしみ込まないように疎水性となっている洗濯用道具を提供する。
【００１４】
本発明の洗濯用道具によれば、例えば、靴下を洗濯する場合、洗い棒に靴下を被せ、洗濯板の洗濯面に擦り付けることにより以下のように効率よく汚れを落とすことが可能となる。
【００１５】
第１に、洗濯板が筒状体からなり、その内面が洗濯面となるので、洗濯液が飛び散らず、また洗濯液が洗濯面の底部に集中するため、洗い棒で擦り付ける靴下部分に適量の洗濯液を保持することが可能となる。
【００１６】
第２に、洗濯板が筒状体からなり、その内面が洗濯面となるので、洗い棒で擦り付ける方向がこの洗濯面でガイドされ、一定方向の上下動を容易に繰り返すことが可能となり、さらに洗濯面には複数の凹凸が形成されているので、軽い力で効率よく洗濯することができる。
【００１７】
第３に、洗濯板をなす筒状体の側面には開口部が形成されており、完全な筒状体ではないので、汚れを落とす部分を見ながら洗濯することができる。また、洗い棒を擦り付ける方向の自由度が大きく、洗濯板の洗濯面内での上下動や回転運動に限られず、所望の部位を念入りに洗うことができる。
【００１８】
第４に、洗濯板をなす筒状体の側面には開口部が形成されており、完全な筒状体ではないので、洗濯板の洗濯面に洗い棒を擦り付けつつ、適宜洗濯液をかけ、汚れた洗濯液を流し出しながら洗濯できる。したがって、汚れた洗濯液が洗濯面に滞留することがなく、洗濯する靴下に汚れが再付着することを防止できる。また、この洗濯用道具を用いて、すすぎ水をかけながらすすぐこともできる。
【００１９】
第５に、洗濯板をなす筒状体の側面に開口部が形成されており、完全な筒状体ではないので、洗濯板の洗濯面の内径と洗い棒の外径との差異に厳密に規制されることなく、任意の厚みの靴下を洗濯することができる。
【００２０】
第６に、洗濯板をなす筒状体の側面に開口部が形成されており、完全な筒状体ではないので、洗濯板自体を容易に洗浄することができ、また迅速に乾燥させることができる。したがって、洗濯用具を常に清浄に維持することができる。
【００２１】
【発明の実施の形態】
以下、本発明の実施例を図面に基づいて具体的に説明する。なお、各図中、同一符号は同一又は同等の構成要素を表している。
【００２２】
図１は、本発明の一実施例の洗濯用道具５０Ａの斜視図（同図（ａ））及びその洗濯板２０のｘ−ｘ断面図（同図（ｂ））である。
【００２３】
図示したように、この洗濯用道具５０Ａは、側面に開口部２５が形成された筒状体からなる洗濯板２０と洗い棒４０とからなっている。
【００２４】
この洗濯板２０の開口部２５は、洗濯板２０をなしている筒状体の一端から他端まで長手方向に直線状に形成されており、筒状体の内面に位置する洗濯面２１は、その横断面が略半円状をなしている。
【００２５】
ここで、洗濯板２０の洗濯面２１の横断面形状が略半円状であるとは、洗濯板２０の洗濯面２１の横断面形状が、側面に開口部２５が形成されていない一般的な筒状体の内面の横断面形状のような閉じた形状ではなく、円弧、楕円弧、多次曲線の一部のような開いた曲線からなることをいう。したがって、洗濯面２１の横断面形状が円弧からなる場合に、その円弧は必ずしも厳密な１／２円でなくてもよい。１／２円よりも全円に近くてもよく、反対に１／２円より短い円弧からなっていてもよい
また、洗濯板２０はその洗濯面２１に、略矩形の凹部を連設することにより形成されている複数の凹凸を有している。これにより凹部に適量の洗濯液を保持することが可能となり、また、凸部で洗濯物を効率よく擦ることができる。なお、本発明において、洗濯面２１の凹凸の態様はこれに限られない。例えば、円形、楕円形、三角形等の凹部又は凸部を連設してもよい。
【００２６】
一方、洗い棒４０は、図中破線で示したように靴下等の洗濯物６０を直接被せる本体部４１とその端部から突出している柄部４２からなっており、柄部４２にはつり紐４３が取り付けられている。
【００２７】
この洗い棒４０は、後に詳述するように、この洗濯用道具５０Ａを用いて洗濯する際に、洗濯物６０を被せ、それを洗濯板２０の洗濯面２１に擦り付けるために使用する。
【００２８】
洗い棒４０の本体部４１の外径ｄ2は、洗濯板２０の洗濯面２１の内径ｄ1 よりも小さく形成されている。これにより、洗濯物６０を洗い棒４０に被せ、これを洗濯板２０の洗濯面２１に擦り付けて洗濯する場合に、洗濯面２１の略全面を利用して効率よく洗濯することが可能となる。この洗濯板２０の洗濯面２１の内径ｄ1と洗い棒４０の本体部４１の外径ｄ2との大きさに関しては、好ましくは、洗濯面２１の内径ｄ1に対する洗い棒４０の本体部４１の外径ｄ2の割合を６０〜８０％とし、より具体的には、洗濯板２０の洗濯面２１の内径ｄ1を５０〜１００ｍｍとし、洗い棒４０の外径ｄ2を４０〜６０ｍｍとする。これにより、例えば洗濯物６０が靴下である場合に、子供用から大人用までの種々の厚さの靴下の洗い易さを向上させることができる。
【００２９】
洗い棒４０の本体部４１は、弾性樹脂、例えば、発泡ポリエチレン（ＪＩＳ  Ｋ６７６７による密度０．０３〜０．２０ｇ／ｃｍ3、圧縮硬さ０．５〜３．５ｋｇ／ｃｍ2）等を使用することが好ましい。また、洗い棒４０の表面は、洗濯液がしみ込まないように疎水性とすることが好ましい。さらに、洗い棒４０に被せた洗濯物６０のずれを防止して効率よく洗濯できるようにするため、本体部４１の表面には凹凸を形成することが好ましい。
【００３０】
洗い棒４０の本体部４１の表面を疎水性とし、かつそこに凹凸を形成する方法としては、この本体部４１材料として発泡ポリエチレンを使用する場合、この本体部４１の表面を熱成形することが好ましい。熱成形により表面に凹凸を形成できると共に、疎水性のスキン層を形成でき、完全に内部への水の侵入を遮断することができる。なお、洗い棒４０の本体部４１の表面に凹凸を形成する方法としては、表面研磨によってもよい。
【００３１】
この洗濯用道具５０Ａを用いた洗濯方法のより具体的な態様としては、図２のように、洗濯板２０の洗濯面２１に、洗い棒４０に被せた洗濯物６０を当てた後、図中矢印のように洗濯板２０の長手方向に沿わせて洗い棒４０を上下動させてもよく、図３のように洗い棒４０を洗濯板２０の洗濯面２１に斜めに当てて洗濯物６０の特定部分が特に念入りに洗濯できるようにしてもよい。あるいは図４のように、洗濯板２０の洗濯面２１に、洗い棒４０に被せた洗濯物６０を当て、図中矢印のように洗い棒４０を回転させてもよい。このように、この洗濯用道具５０Ａによれば、洗濯板２０の洗濯面２１の横断面形状が略半円状であり、洗濯板２０が完全な筒状ではないので、洗い棒４０を擦り付ける方向の自由度が大きく、種々の態様で洗うことができる。また、洗濯時には、汚れを落とす部分を見て、汚れ落ちの程度を確認しながら洗濯することができる。さらに、必要に応じて洗濯液をかけながら、あるいはすすぎ水をかけながら洗濯することもできる。
【００３２】
また、図１の洗濯用道具５０Ａの洗濯板２０は、その一方の端面に平板状部材３０を有している。この平板状部材３０は、本発明において必要に応じて設けられるものである。このよう平板状部材３０を設けることにより、図示したように、平板状部材３０を底板として洗濯板２０を自立させることが可能となり、収納時の利便性を向上させることができる。
【００３３】
平板状部材３０を設ける場合、洗濯面２１と連続する平板状部材３０の洗濯面３１にも、洗浄効率を向上させるため凹凸を設けることが好ましい。
【００３４】
図５は、本発明の他の実施例の洗濯用道具５０Ｂの斜視図（同図（ａ））及びその洗濯板２０Ｂの端面に設けられている平板状部材３０Ｂのｙ−ｙ断面図（同図（ｂ））である。この洗濯用道具５０Ｂも、前述の洗濯用道具５０Ａと同様に、洗い棒４０と、洗濯面２１の横断面形状が略半円状の洗濯板２０Ｂとからなっている。そして洗濯板２０Ｂは、その洗濯面２１に凹凸を有し、その一端に平板状部材３０Ｂを有し、平板状部材３０Ｂの洗濯面３１には凹凸が形成されている。しかしこの平板状部材３０Ｂには、通液孔３２も形成されている点が異なっている。このように平板状部材３０Ｂに通液孔３２を設けることにより、洗濯時に通液孔３２から洗濯液が排出されるようになり、汚れた洗濯液が平板状部材３０Ｂ上に滞留しつづけることを防止できる。
【００３５】
図６は、さらに異なる本発明の実施例の洗濯用道具５０Ｃの斜視図である。この洗濯用道具５０Ｃは、前述の図１の洗濯用道具５０Ａに対して、平板状部材３０の洗濯面３１と洗濯板２０Ｃの洗濯面２１とが曲面で連続している点が異なっている。このように平板状部材３０の洗濯面３１と洗濯板２０Ｃの洗濯面２１とを曲面で連続させることにより、平板状部材３０の洗濯面３１と洗濯板２０Ｃの洗濯面２１との境界部も洗濯物を擦り付ける洗濯面として有効利用することができ、洗濯面２１の端部２２での洗濯効率を向上させることができる。
【００３６】
図７も、さらに異なる本発明の実施例の洗濯用道具５０Ｄの斜視図である。この洗濯用道具５０Ｄは、前述の図６の洗濯用道具５０Ｃから平板状部材３０を取り除き、洗濯用道具５０Ｃの洗濯板２０Ｃの一方の端部の湾曲部をさらに延長して洗濯面２１の端部２２を曲面で閉じたものである。このように平板状部材３０をなくすと、洗濯板２０Ｄを自立させることはできないが、洗濯板２０Ｄの部品数を少なくすることができ、また端部２２を曲面で閉じることにより、図６の洗濯用道具５０Ｃの洗濯板２０Ｃと同様に、端部２２での洗濯効率を向上させることができる。
【００３７】
以上、本発明の実施例を図面に基づいて具体的に説明したが、本発明はこれらの実施例に限定されることなく、種々の態様をとることができる。
【００３８】
【発明の効果】
本発明によれば、靴下をはじめとする種々の衣類についたがんこな汚れを効率よく洗濯することが可能となる。
【図面の簡単な説明】
【図１】本発明の洗濯用道具の斜視図（同図（ａ））及びその洗濯板の断面図（同図（ｂ））である。
【図２】本発明の洗濯用道具の使用方法の説明図である。
【図３】本発明の洗濯用道具の使用方法の説明図である。
【図４】本発明の洗濯用道具の使用方法の説明図である。
【図５】本発明の洗濯用道具の斜視図（同図（ａ））及びその洗濯板の端面に設けられている平板状部材の断面図（同図（ｂ））である。
【図６】本発明の洗濯用道具の斜視図である。
【図７】本発明の洗濯用道具の斜視図である。
【図８】従来の靴下あらい器の斜視図である。
【符号の説明】
２０    洗濯板
２０Ｂ  洗濯板
２０Ｃ  洗濯板
２０Ｄ  洗濯板
２１    洗濯面
２２    洗濯面の端部
２５    開口部
３０    平板状部材
３０Ｂ  平板状部材
３１    平板状部材の洗濯面
３２    通液孔
４０    洗い棒
４１    本体部
４２    柄部
４３    つり紐
５０Ａ、５０Ｂ、５０Ｃ、５０Ｄ  洗濯用道具
６０    洗濯物
【図１】
0003968832.tif 000002
【図２】
0003968832.tif 000003
【図３】
0003968832.tif 000004
【図４】
0003968832.tif 000005
【図５】
0003968832.tif 000006
【図６】
0003968832.tif 000007
【図７】
0003968832.tif 000008
【図８】
0003968832.tif 000009